(57)【特許請求の範囲】
【請求項１】
ソフトウエアで実現される上位レイヤと、
ハードウエアで実現される下位レイヤとを備え、
前記上位レイヤは、
ＩＰプロトコルを扱うＩＰレイヤと、
フェアネス制御、優先制御及び輻輳制御を実施する長周期スケジューラと、
大容量の第１のメモリとを有し、
前記下位レイヤは、
再送制御を行うＡＲＱレイヤと、
ＭＡＣＰＤＵの構築を行うＭＡＣレイヤと、
無線伝搬品質に応じてスケジューリングを実施する短周期スケジューラと、
無線信号処理を実施するＰＨＹレイヤと、
スケジューリングのためにＭＡＣＰＤＵを一時的に格納する小容量の第２のメモリとを有し、
前記長周期スケジューラは、
ＰＤＵを一時保留するアクティブコネクションキューと、
送信時間間隔及び送信データ量に従い、送信時間間隔毎に前記アクティブコネクションキューへコネクション毎のデータを転送する送信時間間隔管理部と、
確認モードの場合には、前記ＡＲＱレイヤに転送したＰＤＵ量と前記ＡＲＱレイヤで送達確認がとれたＰＤＵ量との差分、未確認モードの場合には、前記ＡＲＱレイヤに転送したＰＤＵ量と前記ＡＲＱレイヤから前記ＭＡＣレイヤへ転送したＰＤＵ量との差分により、送信時間間隔毎に前記ＡＲＱレイヤへ送信するデータ量を調整するデータ滞留量調整制御部とを含み、
前記送信時間間隔管理部及び前記データ滞留量調整制御部の連携動作により、無線伝搬品質を推定する
ことを特徴とする無線基地局装置。
【請求項２】
前記長周期スケジューラは、
前記アクティブコネクションキューに少なくとも第１の閾値及び第２の閾値（第１の閾値＜第２の閾値）を持ち、前記アクティブコネクションキューの保留データ量が前記第１の閾値１以上前記第２の閾値２未満までの範囲では、優先制御により規定されたプライオリティとし、前記第２の閾値以上では、前記優先制御により規定されたプライオリティに輻輳制御プライオリティを加算した値として、コネクション毎に決定したプライオリティを前記短周期スケジューラへ通知する優先制御／輻輳制御部をさらに含む
ことを特徴とする請求項１記載の無線基地局装置。
【発明の詳細な説明】
【技術分野】
【０００１】
この発明は、ＩＥＥＥ８０２．１６、及び８０２．１６ｅに代表される基地局においてダウンリンク（ＤＬ：Down Link）とアップリンク（ＵＬ：Up Link）の帯域を集中制御する無線アクセスシステムにおけるスケジューラが設けられた無線基地局装置に関するものである。
【背景技術】
【０００２】
ＩＥＥＥ８０２．１６や、移動環境に適応した８０２．１６ｅ仕様では、コネクションレスＩＰフレームを取り扱う。そのため、スケジューラによりセル通信容量を最大化するようコネクション毎のパケットデータ（ＰＤＵ：Packet Data Unit）送信機会を制御する必要がある。
【０００３】
従来の無線アクセスシステムに適応されるスケジューラは、伝搬環境に応じてスケジューリングアルゴリズムを適応するため、物理レイヤに近い下位レイヤにＰＤＵを蓄積する方法をとる。しかしながら、昨今の高速大容量化の流れで、物理レイヤ、及び物理レイヤに近い下位レイヤのハードウエア（ＨＷ：Hard Ware）化が進められるようになり、下位レイヤに大容量なメモリをもつことが基地局装置の価格に大きく影響するようになってきた。
【０００４】
ここで、従来の無線基地局装置について図面を参照しながら簡単に説明する。図６は、従来の無線基地局装置の構成を示すブロック図である。
【０００５】
図６において、従来の無線基地局装置は、ＩＰレイヤ１０と、ＡＲＱ（Automatic Repeat Request）レイヤ１４と、ＭＡＣ（Medium Access Control）レイヤ１６と、スケジューラ１８Ａと、ＰＨＹ（Physical Layer）レイヤ２０と、大容量メモリ２５とが設けられている。
【０００６】
上位レイヤから転送されるトラヒックは、ＩＰレイヤ１０（→ＩＰパケット１１）、ＡＲＱレイヤ１４（→ＰＤＵ（Ｐａｃｋｅｔ  ＰＤＵ）１５）、ＭＡＣレイヤ１６（→ＭＡＣ  ＰＤＵ（Ｐａｃｋｅｔ  ＰＤＵ）１７）の処理がなされスケジューラ１８Ａに蓄積される。スケジューラ１８Ａは、無線伝搬品質（ＣＩＮＲ：キャリア電力対干渉信号電力及び雑音比）を考慮し、送信コネクションの選択と、送信量を決定し、ＭＡＣ  ＰＤＵ（Ｐａｃｋｅｔ  ＰＤＵ）１９をＰＨＹレイヤ２０へ転送する役割をはたす。
【０００７】
ＩＥＥＥ８０２．１６やＩＥＥＥ８０２．１６ｅのような高速大容量で、複数の種類のＱｏＳ（Quality of Service）を取り扱う無線通信システムに対応するため、従来の無線基地局装置のスケジューラ構成では、高速大容量に対応するためスケジューラ１８Ａのハードウエア化と、各種ＱｏＳに従ったフェアネス制御、輻輳制御、優先制御、無線伝搬品質（ＣＩＮＲ）を考慮したスケジューリングアルゴリズムと言ったインテリジェントな機構をハードウエアで実現しなければならない。
【０００８】
【非特許文献１】IEEE802.16（Part16：Air Interface for Fixed Broadband Wireless Access Systems）
【発明の開示】
【発明が解決しようとする課題】
【０００９】
無線アクセスシステムで適用される従来のスケジューリングアルゴリズムは、無線伝搬品質（ＣＩＮＲ）に応じて無線送信機会をスケジューリングする点に特長をもつ。無線アクセスシステムにおいて利用されるスケジューリングアルゴリズムの代表として、ＭＣＩＲ（Maximum CIR）、ＰＦ（Proportional Fairness）、ＲＲ（Round Robin）法がある。ＭＣＩＲは、無線伝搬品質（ＣＩＮＲ）のよい移動局（ＭＳ：Mobile Station）への通信を優先するスケジューリングアルゴリズムである。
【００１０】
このように、従来の無線アクセスシステムで使用されるスケジューラは、無線伝搬品質であるＣＩＮＲを考慮する必要があるため、物理パラメータであるＣＩＮＲを取得可能な物理レイヤに近い下層ＭＡＣ（Medium Access Control）レイヤにおいて実現される場合が多かった。
【００１１】
しかしながら、第３世代の無線通信システムが３８０ｋｂｐｓから１０Ｍｂｐｓまでを目標に実現されてきたのに比べ、ＩＥＥＥ８０２．１６、およびＩＥＥＥ８０２．１６ｅでは、７０Ｍｂｐｓまでのトラヒックレートをサポートするため、物理レイヤだけでなく下層ＭＡＣレイヤもハードウエアで実現される場合が多くなってきた。
【００１２】
このような状況の中で、ＩＥＥＥ８０２．１６とＩＥＥＥ８０２．１６ｅでは、ＶｏＩＰ（Voice over IP）サービスのためのＵＧＳ（Un-Solicited Grant Service）、ストリームやビデオなどのｒｔＰＳ（Realtime Packet Service）、ファイル転送のためのｎｒｔＰＳ（Non-Realtime Packet Service）、データ通信のためのＢＥ（Best Effort）など、各種ＱｏＳに応じたスケジューリングを必用とする。そのため、無線伝搬品質（ＣＩＮＲ）を考慮したスケジューリングアルゴリズムだけでなく、インテリジェントな優先制御、輻輳制御、フェアネス制御と組み合わせて制御する必要があり、ハードウエア化が困難であるという面も出てきている。
【００１３】
更に、ＩＥＥＥ８０２．１６とＩＥＥＥ８０２．１６ｅでは、従来の３８０ｋｂｐｓまでの低トラヒックを対象としてきた第３世代移動体無線通信システムと異なり、７０Ｍｂｐｓまでの高速大容量な無線通信に対応しなければならないのと、従来の音声呼を中心としたシステムと異なり、コネクションレスデータを中心とし、常時接続を実現するため、非常に多くのコネクションを同時に収容するシステムとなる。そのため、スケジューリングのためのメモリ容量が増大するという問題点があった。
【００１４】
このように、各種ＱｏＳに対応したインテリジェントな機構（フェアネス制御、輻輳制御、優先制御）と、伝搬品質に応じたスケジューリングを従来のように下層ＭＡＣで実現しようとすると、ハードウエアの下層ＭＡＣに大容量なメモリを配置し、インテリジェントな機構をハードウエアで実現しなければならないという問題点があった。これは、ハードウエア化の困難さだけではなく、メモリ容量の増大へつながるため、基地局のコストを上げてしまうという問題も持つ。
【００１５】
この発明は、上述のような課題を解決するためになされたもので、その目的は、帯域管理（通信機会と通信容量）を基地局で行う無線アクセスシステムにおいて、下位レイヤからスケジューリングのための大容量メモリを排除することにより基地局のコストの低減を図ると同時に、スケジューリングに関するインテリジェントな機構を上位レイヤにより実現することができる無線基地局装置を得るものである。
【課題を解決するための手段】
【００１６】
この発明に係る無線基地局装置は、ソフトウエアで実現される上位レイヤと、ハードウエアで実現される下位レイヤとを設け、前記上位レイヤは、ＩＰプロトコルを扱うＩＰレイヤと、フェアネス制御、優先制御及び輻輳制御を実施する長周期スケジューラと、大容量の第１のメモリとを有し、前記下位レイヤは、再送制御を行うＡＲＱレイヤと、ＭＡＣＰＤＵの構築を行うＭＡＣレイヤと、無線伝搬品質に応じてスケジューリングを実施する短周期スケジューラと、無線信号処理を実施するＰＨＹレイヤと、スケジューリングのためにＭＡＣＰＤＵを一時的に格納する小容量の第２のメモリとを有し、前記長周期スケジューラは、ＰＤＵを一時保留するアクティブコネクションキューと、送信時間間隔及び送信データ量に従い、送信時間間隔毎に前記アクティブコネクションキューへコネクション毎のデータを転送する送信時間間隔管理部と、確認モードの場合には、前記ＡＲＱレイヤに転送したＰＤＵ量と前記ＡＲＱレイヤで送達確認がとれたＰＤＵ量との差分、未確認モードの場合には、前記ＡＲＱレイヤに転送したＰＤＵ量と前記ＡＲＱレイヤから前記ＭＡＣレイヤへ転送したＰＤＵ量との差分により、送信時間間隔毎に前記ＡＲＱレイヤへ送信するデータ量を調整するデータ滞留量調整制御部とを含み、前記送信時間間隔管理部及び前記データ滞留量調整制御部の連携動作により、無線伝搬品質を推定するものである。
【発明の効果】
【００１７】
この発明に係る無線基地局装置は、ソフトウエアで実現される長周期スケジューラにより、無線伝搬品質（ＣＩＮＲ）を用いなくても無線伝搬品質を考慮し、フェアネス制御、優先制御、輻輳制御が可能となる。また、無線伝搬品質（ＣＩＮＲ）に応じてスケジューリングを実施する短周期スケジューラを単純化することにより、ハードウエア化が可能となる。さらに、ハードウエアの大容量メモリを削減することができ、基地局コストを低減することができるという効果を奏する。
【発明を実施するための最良の形態】
【００１８】
実施の形態１．
この発明の実施の形態１に係る無線基地局装置について図１から図５までを参照しながら説明する。図１は、この発明の実施の形態１に係る無線基地局装置の構成を示すブロック図である。図２は、図１の長周期スケジューラの詳細構成を示すブロック図である。なお、以降では、各図中、同一符号は同一又は相当部分を示す。
【００１９】
本発明は、上述した問題点を解決するためのスケジューラ構成と、フェアネス制御、優先制御、輻輳制御、無線伝搬品質に応じたスケジューリングアルゴリズムを、その機能が配置されたレイヤの情報をもとに制御する手法を実現するものである。
【００２０】
本発明は、帯域管理（通信機会と通信容量）を基地局で行う無線アクセスシステムにおいて、下位レイヤからスケジューリングのための大容量メモリを排除することにより基地局コストの低減を図ると同時に、スケジューリングに関するインテリジェントな機構を上位レイヤにより実現することを可能とする。
【００２１】
そこで、この実施の形態１に係る無線基地局装置は、２段階スケジューラ（長周期スケジューラと短周期スケジューラ）を備える。
【００２２】
図１において、この実施の形態１に係る無線基地局装置は、ソフトウエアで実現されるＳＷ（上層ＭＡＣ）部（上位レイヤ）２３と、ハードウエアで実現されるＨＷ（下層ＭＡＣ）部２４（下位レイヤ）とが設けられている。
【００２３】
ＳＷ（上層ＭＡＣ）部２３は、ＩＰプロトコルを扱うＩＰレイヤ１０と、長周期スケジューラ１２と、大容量メモリ２１とから構成される。
【００２４】
ＨＷ（下層ＭＡＣ）部２４は、再送制御を行うＡＲＱ（Automatic Repeat Request）レイヤ１４と、ＭＡＣ  ＰＤＵ（Packet Data Unit）１７の構築を行うＭＡＣ（Medium Access Control）レイヤ１６と、無線伝搬品質（ＣＩＮＲ）に応じたスケジューリングアルゴリズムを実施する短周期スケジューラ１８と、無線信号処理を実施するＰＨＹ（Physical Layer）レイヤ２０と、スケジューリングのためにＭＡＣ  ＰＤＵ（Ｐａｃｋｅｔ  ＰＤＵ）１９を一時的に格納する小容量メモリ２２とから構成される。
【００２５】
ただし、ＳＷ部２３とＨＷ部２４の区分は、長周期スケジューラ１２がソフトウエアで実装されているという点を除けば、本発明において他のモジュールはハードウエアで実現されてもソフトウエアで実現されてもよい（限定するものではない）。
【００２６】
長周期スケジューラ１２は、フェアネス制御、優先制御、輻輳制御を実現し、短周期スケジューラ１８は、無線伝搬品質（ＣＩＮＲ）に応じたスケジューリングアルゴリズムに対応する。これによりインテリジェントな機構をソフトウエアで実現される上位レイヤである長周期スケジューラ１２に配置し、高速な処理を必要とする無線伝搬品質（ＣＩＮＲ）に応じてスケジューリングアルゴリズムをハードウエアで実現される短周期スケジューラ１８に配置する。
【００２７】
図２において、長周期スケジューラ１２は、ＩＰレイヤ１０からのＩＰパケット１１を保留するＩＰキュー３２と、ＩＰトラヒックの中からスケジューリング対象となるコネクションを選択するアクティブコネクション選択部２６と、インターネットなどを経由してバースト化されたトラヒックをユーザがあらかじめ予約したＱｏＳであるユーザＱｏＳ（Ｕｓｅｒ  ＱｏＳ）２９に従いアクティブコネクション２８のトラヒックをシェーピングする送信時間間隔（ＴＴＩ：Transmission Time Interval）管理部２７と、シェーピングされたＰＤＵを一時保留するアクティブコネクションキュー３３と、アクティブコネクション毎に下位レイヤに蓄積可能なデータ量を規定し、規定された以上に下位レイヤにデータが蓄積されないよう制御するデータ滞留量調整制御部３１と、アクティブコネクションキュー３３の輻輳状態を監視し、プライオリティ制御を行う優先制御／輻輳制御部３０とから構成される。
【００２８】
つぎに、この実施の形態１に係る無線基地局装置の動作について図面を参照しながら説明する。図３は、この発明の実施の形態１に係る無線基地局装置の送信時間間隔管理部の動作を説明するための図である。また、図４は、この発明の実施の形態１に係る無線基地局装置のデータ滞留量調整制御部の動作を説明するための図である。さらに、図５は、この発明の実施の形態１に係る無線基地局装置の優先制御／輻輳制御部の動作を説明するための図である。
【００２９】
無線伝搬品質であるＣＩＮＲを用いずに上位レイヤに存在する長周期スケジューラ１２で、無線伝搬品質を考慮したフェアネス制御、優先制御、輻輳制御を実現する方法を説明し、また、同時に短周期スケジューラ１８のメモリ２２を小容量化する方法を説明する。
【００３０】
送信時間間隔管理部２７は、予めコネクション毎に規定されたユーザＱｏＳ（Ｕｓｅｒ  ＱｏＳ）２９である送信時間間隔（ＴＴＩ：Transmission Time Interval）と送信データ量に従い、送信時間間隔毎にアクティブコネクションキュー３３へコネクション毎のデータを転送する。この送信時間間隔毎のデータ量は、基地局がユーザに保証する帯域（通信量）である。
【００３１】
図３は、ＩＰパケット（ＩＰ  Ｐａｃｋｅｔ）１００、１０１、１０２が、ＩＰキュー３２に保留されており、ユーザＱｏＳ（Ｕｓｅｒ  ＱｏＳ）２９として４０ｍ送信時間間隔毎にＸバイト（ＸＢｙｔｅ）のパケットの送信保証を行う場合の例を示している。４０ｍｓ毎に、ＩＰパケット（ＩＰ  Ｐａｃｋｅｔ）からＸバイト切り出しパケット（ＰＡＣＫＥＴ）１０３、１０４、１０５を構築し、アクティブコネクションキュー３３へエンキューする。
【００３２】
次に、データ滞留量調整制御部３１は、確認モード（ＡＭ：Acknowledgement Mode）の場合には、ＡＲＱレイヤ１４に転送したＰＤＵ量とＡＲＱレイヤ１４で送達確認がとれたＰＤＵ量との差分、未確認モード（ＵＭ：Un-Acknowledgement Mode）の場合には、ＡＲＱレイヤ１４に転送したＰＤＵ量とＡＲＱレイヤ１４からＭＡＣレイヤ１６へ転送したＰＤＵ量との差分により、送信時間間隔毎にＡＲＱレイヤ１４へ送信するデータ量を調整する機構である。上記差分量が、コネクション毎に規定された滞留量に満たない場合は、送信時間間隔毎にＡＲＱレイヤ１４へ滞留可能量までデータ転送可能とする。一方、上記差分量が、コネクション毎に規定された滞留量以上となった場合は、ＡＲＱレイヤ１４へのデータ転送を停止する。下位レイヤへ滞留可能データ量は、下式で計算される。
【００３３】
滞留可能データ量＝ユーザ予約送信データ量−（送信データ量−送達確認データ量）
・・・（１）
【００３４】
図４の例では、１０００バイト（Ｂｙｔｅ）まで下位レイヤへ蓄積可能なコネクションの例を示している。データ滞留量調整制御部３１は、送信時間間隔タイミング毎にＡＲＱレイヤ１４への送信機会を得る。図４では、５回の送信時間間隔タイミングを使い１０００バイトのパケットをＡＲＱレイヤ１４へ転送した場合の例を示している。１０００バイト目の転送であるＡＲＱ＿ＤＡＴＡ＿ＲＥＱメッセージ１０６の転送を完了すると、データ滞留量調整制御部３１は、データの転送完了であるＡＲＱ＿ＤＡＴＡ＿ＣＮＦ１０７を受信するまで、ＡＲＱレイヤ１４への転送を中止する。ＡＲＱ＿ＤＡＴＱＡ＿ＣＮＦ１０７を受信すると、２００バイトの下位レイヤ転送が終了したと判断し、次の２００バイトの転送をＡＲＱ＿ＤＡＴＡ＿ＲＥＱメッセージ１０８で行う。このようにデータ滞留量調整制御部３１は、長周期スケジューラ１２より下位レイヤに蓄積されるデータ量をコネクション毎に制御することが可能となる。
【００３５】
そのため、無線伝搬品質が良好で、短周期スケジューラ１８のスケジューリングアルゴリズム３８により優先的に選択されるコネクションであれば、データ滞留量調整制御部３１により転送されたＰＤＵ（Ｐａｃｋｅｔ  ＰＤＵ）１３は、送信時間間隔の範囲で下位レイヤにより送達確認がとれ、アクティブコネクションキュー３３へデータが保留されることがない。
【００３６】
アクティブコネクションキュー３３にデータが蓄積される場合は、無線伝搬品質（ＣＩＮＲ）が劣化してしまい、ＰＥＲ（Packet Error Rate）が高くなり、ＡＲＱレイヤ１４の送達確認がとれないか、短周期スケジューラ１８のスケジューリングアルゴリズム３８により、より高い優先度のコネクションが選択され、送信機会が提供されないかのどちらかである。このように、無線伝搬品質であるＣＩＮＲを使わなくても、長周期スケジューラ１２は、送信時間間隔管理部２７とデータ滞留量調整制御部３１との連携動作により、無線伝搬品質を推定することが可能となる。
【００３７】
次に、各種ＱｏＳを実現するための優先制御の方法を説明する。
【００３８】
短周期スケジューラ１８は、ＭＣＩＲ（Maximum CIR）、ＰＦ（Proportional Fairness）、ＲＲ（Round Robin）法などの無線伝搬品質から決定されるプライオリティと、長周期スケジューラ１２から通知されるプライオリティ通知３９に従い、フレーム周期毎に送信ＰＤＵを決定する。最も単純なスケジューリングアルゴリズムは、下式に従いプライオリティの高いコネクションから順にＰＤＵの送信機会を与える。
【００３９】
プライオリティ（Ｐｒｉｏｒｉｔｙ）＝スケジューリングアルゴリズムプライオリティ＋長周期スケジューラ指定プライオリティ                            ・・・（２）
【００４０】
短周期スケジューラ１８は、無線伝搬品質（ＣＩＮＲ）を考慮したスケジューリングアルゴリズム３８を実行するため、ＭＡＣレイヤ１６の無線品質測定部３５により収集した移動機側で測定した無線伝搬品質のフィードバック情報３６を利用し、無線品質測定部３５の結果を統計処理し無線品質３７として利用する。
【００４１】
上記のような構成をとることにより、短周期スケジューラ１８は、長周期スケジューラ１２により指定されたコネクション毎の優先度を加味して送信コネクションを選定する。
【００４２】
次に、長周期スケジューラ１２でのコネクション優先方法を説明する。
【００４３】
長周期スケジューラ１２の優先制御／輻輳制御部３０は、アクティブコネクション２８毎のプライオリティをユーザＱｏＳ（Ｕｓｅｒ  ＱｏＳ）２９に従い決定し、プライオリティ通知３９を通し、短周期スケジューラ１８のスケジューリングアルゴリズム３８に通知する。この結果、スケジューリングアルゴリズム３８が利用する式（２）に従い、コネクション毎の優先度が考慮され、送信パケットが選択される。
【００４４】
ＩＥＥＥ８０２．１６では、ＵＧＳ、ｒｔＰＳ、ｎｒｔＰＳ、ＢＥなどの各種ＱｏＳに従う必要があり、これを本発明では、上記手段を用いることにより、コネクション毎の優先制御により実現する。
【００４５】
次に、フェアネス制御について説明する。
【００４６】
スケジューリングを適応するシステムにおいて、滞留時間が長いデータのプライオリティを上げることにより、フェアネスを実現する方式がとられる。本方式では、優先制御／輻輳制御部３０によりこれを実現する。アクティブコネクションキュー３３に、データが保留されるのは、無線伝搬品質（ＣＩＮＲ）が劣化しＡＲＱレイヤ１４の送達確認時間が増大しているか、或いは、短周期スケジューラ１８のスケジューリングアルゴリズム３８で適応されるコネクション毎のプライオリティが低いかのどちらかである。
【００４７】
そこで、図５に示すように、優先制御／輻輳制御部３０では、アクティブコネクションキュー３３に閾値を持ち、コネクション毎に輻輳制御を実行する。図５の例では、アクティブコネクションキュー３３の保留データ量４４を示し、３つの閾値を規定している。閾値１以上閾値２未満までの範囲では、優先制御により規定されたプライオリティをとり、閾値２以上閾値３未満までの範囲では、優先制御規定プライオリティに輻輳制御プライオリティ１を加算した値をとり、閾値３以上では、優先制御規定プライオリティに輻輳制御プライオリティ２を加算した値をとる。
閾値１〜閾値２：優先制御規定プライオリティ
閾値２〜閾値３：優先制御規定プライオリティ＋輻輳制御プライオリティ１
閾値３以上    ：優先制御規定プライオリティ＋輻輳制御プライオリティ２
ここで、輻輳制御プライオリティ１＜輻輳制御プライオリティ２となる。
【００４８】
優先制御／輻輳制御部３０によりコネクション毎に決定したプライオリティをプライオリティ通知３９で短周期スケジューラ１８のスケジューリングアルゴリズム３８に通知することにより、滞留時間の長い輻輳コネクションのプライオリティを増大させる。これにより、滞留時間の長いコネクションデータの優先を可能としフェアネスを実現する。
【００４９】
アクティブコネクションキュー３３にデータが蓄積されるのは、無線伝搬品質（ＣＩＮＲ）が劣化したＡＲＱレイヤ１４の送達確認に時間がかかり、下位レイヤのデータの送信完了がなされないことが原因の場合がある。この場合は、このコネクションのプライオリティを増大したとしても、無線伝搬品質（ＣＩＮＲ）が劣化しているため、ＰＥＲ（Packet Error Rate）が大きく、実行スループットは改善しない。そこで、セル通信容量を最大化するためには、このようなコネクションを一時的にスケジューリング対象であるアクティブコネクション２８から削除する必要がある。
【００５０】
次に、このアクティブコネクション２８の入れ替えについて説明する。
【００５１】
優先制御／輻輳制御部３０は、アクティブコネクションキュー３３の保留データ量４４を監視する。輻輳制御の結果、スループットが改善されず、アクティブコネクションキュー３３が溢れた場合、優先制御／輻輳制御部３０は、アクティブコネクション選択部２６にキュー溢れを起こしたコネクションの入れ替えを指示する。
【００５２】
アクティブコネクション選択部２６は、指示のあったコネクションを退避中のＩＰコネクションと入れ替えることにより、無線伝搬品質の劣化したコネクションをスケジューリングコネクションの選択から外す。
【００５３】
これにより、無線伝搬品質の悪いコネクションをスケジューリング対象としなくなることにより、セル通信容量を増大することが可能となる。
【００５４】
上記のスケジューラ構成では、アクティブコネクション選択部２６により、スケジューリング対象のコネクションを絞りこみ、且つ、データ滞留量調整制御部３１により、下位レイヤに滞留可能なデータ量に制限をかけるため、ハードウエアで実現される下位レイヤに蓄積される送信データ量を最小化することが可能となる。
【００５５】
これにより、短周期スケジューラ１８により保持すべき送信データ量が削減され、メモリ２２を小容量化することが可能となる。
【図面の簡単な説明】
【００５６】
【図１】この発明の実施の形態１に係る無線基地局装置の構成を示すブロック図である。
【図２】図１の長周期スケジューラの詳細構成を示すブロック図である。
【図３】この発明の実施の形態１に係る無線基地局装置の送信時間間隔管理部の動作を説明するための図である。
【図４】この発明の実施の形態１に係る無線基地局装置のデータ滞留量調整制御部の動作を説明するための図である。
【図５】この発明の実施の形態１に係る無線基地局装置の優先制御／輻輳制御部の動作を説明するための図である。
【図６】従来の無線基地局装置の構成を示すブロック図である。
【符号の説明】
【００５７】
１０  ＩＰレイヤ、１２  長周期スケジューラ、１４  ＡＲＱレイヤ、１６  ＭＡＣレイヤ、１８  短周期スケジューラ、２０  ＰＨＹレイヤ、２１  大容量メモリ、２２  小容量メモリ、２３  ＳＷ部、２４  ＨＷ部、２６  アクティブコネクション選択部、２７  送信時間間隔管理部、３０  優先制御／輻輳制御部、３１  データ滞留量調整制御部、３２  ＩＰキュー、３３  アクティブコネクションキュー、３５  無線品質測定部、３８  スケジューリングアルゴリズム。
【図１】
0004607031.tif 000002
【図２】
0004607031.tif 000003
【図３】
0004607031.tif 000004
【図４】
0004607031.tif 000005
【図５】
0004607031.tif 000006
【図６】
0004607031.tif 000007